(57)【要約】【課題】丈夫なポケットが形成された包装用袋と、これを簡単な工程で製造できる製造方法を提供すること。【解決手段】表面側に収容物とは異なるシート状物を収容可能なポケットを有する包装用袋の製造方法であって、（イ）所定長さの帯状の合成樹脂フィルムを、一側端縁に所定幅の封緘代が残るように略中央から二つ折りする第１の工程と、（ロ）前記工程で形成された折り目側から所定距離離隔した位置で、前記折り目側を折り返す第２の工程と、（ハ）重畳された前記合成樹脂フィルムの折り返し方向に沿った左右側縁をシールして、内収容物を収納する空間とポケット空間とを同時に形成する第３の工程と、を有することとした。【選択図】図３
2010274955.tif 000002
【特許請求の範囲】
【請求項１】
表面側に内収容物とは異なるシート状物を収容可能なポケットを有する包装用袋の製造方法であって、
所定長さの帯状の合成樹脂フィルムを、一側端縁に所定幅の封緘代が残るように略中央から二つ折りする第１の工程と、
前記工程で形成された折り目部分側から所定距離離隔した位置で、前記折り目部分側を折り返す第２の工程と、
重畳された前記合成樹脂フィルムの折り返し方向に沿った左右側縁をシールして、内収容物を収納する空間とポケット空間とを同時に形成する第３の工程と、
を有することを特徴とする包装用袋の製造方法。
【請求項２】
前記封緘代が形成された一側端縁を、前記合成樹脂フィルムの長手方向の端部に形成したことを特徴とする請求項１に記載の包装用袋の製造方法。
【請求項３】
前記帯状の合成樹脂フィルムは、
前記第２の工程で折り返す部分が形成される領域を透明領域とし、この透明領域を除く部分に印刷領域が形成されていることを特徴とする請求項１又は２に記載の包装用袋の製造方法。
【請求項４】
請求項１〜３のいずれか１項に記載の製造方法により形成された包装用袋。
【発明の詳細な説明】
【技術分野】
【０００１】
本発明は、シート状の被包装物を収容可能とするとともに、表面に、内収容物とは異なるシート状物を収容可能なポケットを有する包装用袋、及び同包装用袋の製造方法に関するものである。
【背景技術】
【０００２】
従来、この種の包装用袋として、２枚の合成樹脂フィルムの上側縁を除く３側縁を熱シールして袋体を形成するとともに、表側あるいは裏側をなす一方の合成樹脂フィルムに、これよりも小さい合成樹脂フィルムのやはり３側縁を熱シールした小袋部を、あたかもポケットのように形成したものがあった（例えば、特許文献１を参照。）。
【０００３】
かかる包装用袋の一例を図１に示す。この例では、所定の文字や図形などが印刷された表面側の下部にポケットＰが形成されている。そして、例えば、布巾やタオルなどの布製品（不織布などを含む）、あるいは封筒類などの紙製品などからなる内収容物Ｎをノベルティとして収容するとともに、ポケットＰには、ノベルティを送る側の企業の広告、あるいは担当者の名刺などのサブ収容物となるシート状物Ｓを収容するようにしている。
【０００４】
なお、当然、内収容物はノベルティに限らず、売買用の商品であってもよく、その場合、ポケットＰには、シート状物Ｓとして商品の説明書などを収容することができる。
【０００５】
上述した包装用袋は、一般に、図２に示すような手順で製造されることが多い。すなわち、先ず、図２（ａ）に示すように、所定長さの帯状の合成樹脂フィルムＦを、一側端縁に所定幅の封緘代Ｆ１が残るように略中央から二つ折りする。そして、図２（ｂ）に示すように、二つ折された合成樹脂フィルムＦの一側の面に、ポケットＰを形成するための所定の大きさのフィルム片Ｆ２を重ね、次いで、二つ折された合成樹脂フィルムＦの封緘代Ｆ１側に開口部Ｆ３が、また、フィルム片Ｆ２のこの開口部Ｆ３と同じ側にポケット開口部Ｆ４が形成されるように、三方縁を熱シールする（図２（ｃ））。
【０００６】
こうして、図２（ｄ）及び図１に示すようなポケットＰが形成された包装用袋が形成される。
【先行技術文献】
【特許文献】
【０００７】
【特許文献１】実開平４−５６６３９号公報
【発明の概要】
【発明が解決しようとする課題】
【０００８】
ところが、上述した従来の製造方法では、包装用袋本体となる合成樹脂フィルムと別にポケットＰとなる合成樹脂フィルムを用意しなければならず、しかも、これを包装用袋本体となる合成樹脂フィルムの所定の位置にずれることなく配置して熱シールしなければならない。
【０００９】
したがって、製造工程が面倒であり、そのために不良品の発生率も高くなっていた。しかも、出来上がった包装用袋のポケットＰは、一重の合成樹脂フィルムからなるため、ポケット開口部Ｆ４を形成する縁部にわずかでも傷がつくと、そこから亀裂が生じたりするなど、その耐久性に問題があった。
【００１０】
本発明は、斯かる事情に鑑みてなされたものであって、丈夫なポケットが形成された包装用袋と、これを簡単な工程で製造できる製造方法を提供することを目的としている。
【課題を解決するための手段】
【００１１】
（１）本発明は、表面側に内収容物とは異なるシート状物を収容可能なポケットを有する包装用袋の製造方法であって、（イ）所定長さの帯状の合成樹脂フィルムを、一側端縁に所定幅の封緘代が残るように略中央から二つ折りする第１の工程と、（ロ）前記工程で形成された折り目部分側から所定距離離隔した位置で、前記折り目部分側を折り返す第２の工程と、（ハ）重畳された前記合成樹脂フィルムの折り返し方向に沿った左右側縁をシールして、内収容物を収納する空間とポケット空間とを同時に形成する第３の工程と、を有することとした。
【００１２】
（２）本発明に係る包装用袋の製造方法は、前記封緘代が形成された一側端縁を、前記合成樹脂フィルムの長手方向の端部に形成したことにも特徴を有する。
【００１３】
（３）本発明に係る包装用袋の製造方法は、前記帯状の合成樹脂フィルムは、前記第２の工程で折り返す部分が形成される領域を透明領域とし、この透明領域を除く部分に印刷領域が形成されていることにも特徴を有する。
【００１４】
（４）本発明に係る包装用袋は、上記（１）〜（３）のいずれかの製造方法により形成されている。
【発明の効果】
【００１５】
本発明によれば、ポケットが形成された包装用袋を簡単な工程で製造でき、しかも、形成されたポケットが丈夫なため、ポケットを十分に有効利用することができる。
【図面の簡単な説明】
【００１６】
【図１】ポケット付き包装用袋の正面外観を示す説明図である。
【図２】従来のポケット付き包装用袋の製造方法を示す説明図である。
【図３】実施形態に係るポケット付き包装用袋の製造方法を示す説明図である。
【図４】図３のＡ−Ａ断面図である。
【発明を実施するための形態】
【００１７】
図３は本実施形態に係る包装用袋の製造方法の概略を示す説明図、図４は図３のＡ−Ａ断面図である。本実施形態に係る包装用袋の製造方法は、以下の工程を有する。
【００１８】
すなわち、図３（ａ）及び図３（ｂ）に示すように、所定長さの帯状の合成樹脂フィルム１０を、一側端縁に所定幅の封緘代１１が残るように略中央から二つ折りする第１の工程と、図３（ｂ）及び図３（ｃ）に示すように、第１の工程で形成された折り目部分１２側から所定距離離隔した位置１３で、折り目部分１２側を折り返す第２の工程と、図３（ｃ）及び図３（ｄ）に示すように、重畳された合成樹脂フィルム１０の折り返し方向に沿った左右側縁１４，１５を熱溶着によりシールして、図３（ｅ）及び図４に示すように、例えば布巾などのようなシート状の内収容物Ｎを収納する空間１６と、例えば名刺やメッセージカード、あるいは内収容物の説明書などのシート状物Ｓを収納するポケット空間１７とを同時に形成する第３の工程と、を有する。
【００１９】
かかる工程を経て、図３（ｅ）及び図１に示すようなポケットＰが形成された包装用袋が形成されることになる。図３（ｅ）中、１０ａは袋開口部、１０ｂはポケット開口部である。
【００２０】
また、形成されたポケットＰは、図４に示すように、合成樹脂フィルム１０が二重となっているため丈夫であり、しかも、ポケット開口部１０ｂに臨む上縁は合成樹脂フィルム１０が折り返された部分であるので、亀裂などが入り難い。そして、袋部分とポケット部分を形成するためのシール作業も１回で済む。
【００２１】
帯状の合成樹脂フィルム１０は、例えば、ポリプロピレンフィルムからなる、OPPフィルムやCPPフィルムを用いることができる。これらは、いずれも透明であって、内収容物Ｎを外部から視認可能である。
【００２２】
本実施形態に係る包装用袋は、封緘代１１を、帯状の合成樹脂フィルム１０の長手方向の端部に形成しているため、あたかも縦長の封筒のような形状となっており、封緘代１１の部分には接着剤を塗布している。したがって、内収容物Ｎを収容した後は簡単に封緘することができる。
【００２３】
また、合成樹脂フィルム１０は、前述した第２の工程で折り返す部分が形成される領域を透明領域とし、この透明領域を除く部分に印刷領域を形成している。
【００２４】
すなわち、図３（ａ）に示すように、合成樹脂フィルム１０における封緘代１１の部分を除いた長さの中央位置１８を挟む一定領域２０を透明領域とし、この一定領域２０と封緘代１１の部分を除く表・裏面領域２１，２２を印刷領域としている。この表・裏面領域２１，２２に、図１で示した文字や図柄などが印刷されることになる。
【００２５】
ところで、本実施形態では、合成樹脂フィルム１０の幅を１１ｃｍ、印刷領域となる表・裏面領域２１，２２の長さをそれぞれ２０ｃｍ、当明領域となる一定領域２０の長さを１５ｃｍ、封緘代１１を２ｃｍとしている。
【００２６】
このように、本実施形態に係る包装用袋は、縦長封筒のような形状としているが、形状やサイズは特に限定するものではない。例えば、図示しないが、横長封筒のような形状としてもよい。その場合、ポケットＰも幅広な形状となり、短冊状のシート状物Ｓを収納することが可能となる。
【００２７】
ところで、包装用袋は、製袋機（図示せず）を用いて連続的に製造できるようにすることが好ましく、帯状の合成樹脂フィルム１０は、製袋機にセットされたフィルムロールから引き出され、所定寸法で裁断されるとともに、折り畳まれて熱シールされる。
【００２８】
上述した実施形態より、以下の作用効果が期待できる。
【００２９】
すなわち、表面側に内収容物Ｎとは異なるシート状物Ｓを収容可能なポケットＰを有する包装用袋の製造方法であって、（イ）所定長さ（例えば５７ｃｍ）の帯状の合成樹脂フィルム１０を、一側端縁に所定幅（例えば、２ｃｍ）の封緘代１１が残るように略中央から二つ折りする第１の工程と、（ロ）前記工程で形成された折り目部分１２側から所定距離（例えば、７，５ｃｍ）離隔した位置で、前記折り目部分１２側を折り返す第２の工程と、（ハ）重畳された合成樹脂フィルム１０の折り返し方向に沿った左右側縁１４，１５をシール（例えば熱シール）して、内収容物Ｎを収納する空間１６とポケット空間１７とを同時に形成する第３の工程とを有することとしたため、極めて簡単な工程でポケットＰが形成された包装用袋を製造することができ、しかも、形成されたポケットＰは二重のフィルムからなるため丈夫であり、破損のおそれなく、かかるポケットＰを十分に有効利用することができる。
【００３０】
また、封緘代１１が形成された一側端縁を、合成樹脂フィルム１０の長手方向の端部に形成したため、包装用袋は、あたかも縦長封筒のような形状となり、誰でもが馴染みのある取扱い易い形状となすことができる。
【００３１】
また、帯状の合成樹脂フィルム１０は、第２の工程で折り返す部分が形成される領域（中央位置１８を挟む一定領域２０）を透明領域とし、この透明領域を除く部分に印刷領域が形成されているため、表面に文字や図形を適宜デザインすることができるとともに、かかるデザインをポケットＰで見え難くするおそれもなくなる。
【００３２】
このような製法により得られた包装用袋は、ポケットＰに例えば名刺などを収容することができるため、ノベルティ製品などに好適に用いることができる。
【符号の説明】
【００３３】
１０    合成樹脂フィルム
１０ａ    袋開口部
１０ｂ    ポケット開口部
１１    封緘代
１４    左側縁
１５    右側縁
１６    空間
１７    ポケット空間
Ｎ    内収容物
Ｐ    ポケット
Ｓ    シート状物
【図１】
2010274955.tif 000003
【図２】
2010274955.tif 000004
【図３】
2010274955.tif 000005
【図４】
2010274955.tif 000006